Podtech/llm-jp-corpus-v4-ja_patent huggingface dataset:
【手続補正書】
【提出日】令和2年10月14日(2020.10.14)
【手続補正１】
【補正対象書類名】特許請求の範囲
【補正対象項目名】全文
【補正方法】変更
【補正の内容】
【特許請求の範囲】
【請求項１】
コンジュゲートと少なくとも１つの賦形剤とを含む医薬組成物であって、前記コンジュゲートが、リンカーによってソマトスタチン受容体（ＳＳＴＲ）標的化部分に結合された活性薬剤を含み、前記活性薬剤がメルタンシン（ＤＭ１）である医薬組成物。
【請求項２】
前記コンジュゲートが、
【化１】
2019532091.tif 000001
の構造を有する、請求項１に記載の医薬組成物。
【請求項３】
前記コンジュゲートが、２．０〜５．０ｍｇ／ｍＬの濃度を有する、請求項２に記載の医薬組成物。
【請求項４】
前記コンジュゲートが、２．５ｍｇ／ｍＬの濃度を有する、請求項３に記載の医薬組成物。
【請求項５】
前記組成物のｐＨが、４．０〜５．０である、請求項２に記載の医薬組成物。
【請求項６】
前記組成物のｐＨが、４．０〜４．８である、請求項５に記載の医薬組成物。
【請求項７】
前記組成物のｐＨが、４．０である、請求項６に記載の医薬組成物。
【請求項８】
前記組成物が、酢酸緩衝液を含む、請求項６に記載の医薬組成物。
【請求項９】
前記組成物が、マンニトールをさらに含む、請求項２に記載の医薬組成物。
【請求項１０】
前記マンニトールが、２５〜７５ｍｇ／ｍＬの濃度を有する、請求項９に記載の医薬組成物。
【請求項１１】
前記マンニトールが、５０ｍｇ／ｍＬの濃度を有する、請求項１０に記載の医薬組成物。
【請求項１２】
前記組成物が、ポリオキシル１５ヒドロキシステアレートをさらに含む、請求項２に記載の医薬組成物。
【請求項１３】
前記ポリオキシル１５ヒドロキシステアレートが、１０〜５０ｍｇ／ｍＬの濃度を有する、請求項１２に記載の医薬組成物。
【請求項１４】
前記ポリオキシル１５ヒドロキシステアレートが、２０ｍｇ／ｍＬの濃度を有する、請求項１３に記載の医薬組成物。
【請求項１５】
前記組成物が、−２０℃で貯蔵される、請求項２に記載の医薬組成物。
【請求項１６】
前記組成物が、静脈内（ＩＶ）注入によって投与される、請求項２に記載の医薬組成物。
【請求項１７】
対象の腫瘍を治療するための医薬組成物であって、
前記対象におけるソマトスタチン類似体放射性同位体イメージング（ＳＡＲＩ）走査の結果が陽性である場合に前記対象に投与される、請求項１〜１６のいずれか一項に記載の医薬組成物。
【請求項１８】
前記ＳＡＲＩ走査が、ソマトスタチン類似体に連結された放射性同位体を使用することを含む、請求項１７に記載の医薬組成物。
【請求項１９】
前記放射性同位体が、１１１Ｉｎ、６８Ｇａ、または９９ｍＴｃを含む、請求項１８に記載の医薬組成物。
【請求項２０】
前記ＳＡＲＩ走査が、１１１Ｉｎペンテトレオチドを使用することを含む、請求項１８に記載の医薬組成物。
【請求項２１】
前記ＳＡＲＩ走査が、ソマトスタチン類似体の６８Ｇａ誘導体を使用することを含む、請求項１８に記載の医薬組成物。
【請求項２２】
ソマトスタチン類似体の前記６８Ｇａ誘導体が、６８Ｇａ−ＤＯＴＡＴＡＴＥまたは６８Ｇａ−ＤＯＴＡＴＯＣを含む、請求項２１に記載の医薬組成物。
【請求項２３】
前記ＳＡＲＩ走査が、単一光子放射コンピュータ断層撮影法（ＳＰＥＣＴ）または同時陽電子放射断層撮影法（ＰＥＴ）およびコンピュータ断層撮影法（ＣＴ）を用いて行われる、請求項１８に記載の医薬組成物。
【請求項２４】
少なくとも１つのさらなる活性薬剤が、さらに前記対象に投与される、請求項１７に記載の医薬組成物。
【請求項２５】
前記さらなる活性薬剤が、吐き気、嘔吐、下痢、便秘、貧血、好中球減少症、またはソマトスタチン類似体を治療するための薬剤である、請求項２４に記載の医薬組成物。
【請求項２６】
前記腫瘍が、神経内分泌腫瘍（ＮＥＴ）である、請求項１７に記載の医薬組成物。
【請求項２７】
前記腫瘍が、胃腸膵（ＧＥＰ）、肺、前立腺、および胸腺神経内分泌腫瘍からなる群から選択される、請求項２６に記載の医薬組成物。
【請求項２８】
前記腫瘍が、肺の小細胞肺癌（ＳＣＬＣ）または大細胞神経内分泌癌（ＬＣＮＥＣ）である、請求項２７に記載の医薬組成物。
【請求項２９】
前記コンジュゲートが、コンジュゲート５７である、請求項１７に記載の医薬組成物。
【請求項３０】
コンジュゲート５７の投与量が、少なくとも０．０１６ｍｇ／ｋｇである、請求項２９に記載の医薬組成物。
【請求項３１】
コンジュゲート５７の投与量が、少なくとも１ｍｇ、２ｍｇ、４ｍｇ、８ｍｇ、１２ｍｇ、１８ｍｇ、２４ｍｇ、３０ｍｇ、３６ｍｇ、４２ｍｇ、または４８ｍｇである、請求項２９に記載の医薬組成物。
【請求項３２】
コンジュゲート５７の投与量が、２５ｍｇである、請求項２９に記載の医薬組成物。
【手続補正書】
【提出日】令和2年2月5日(2020.2.5)
【手続補正１】
【補正対象書類名】特許請求の範囲
【補正対象項目名】全文
【補正方法】変更
【補正の内容】
【特許請求の範囲】
【請求項１】
非侵襲的（non-invasive）投与の眼用製剤であって、（a）薬学的に許容される担体と
、（b）第一活性成分としてのアゾール系化合物とを含み、
前記眼用製剤における前記アゾール系化合物の濃度が0.005〜400μMであることを特徴とする眼用製剤。
【請求項２】
前記の眼用製剤は、点眼液、乳剤、ゲル、アイクリーム、徐放マイクロスフェア、眼内徐放インプラント、眼部徐放薬剤フィルムからなる群から選ばれることを特徴とする請求項1に記載の眼用製剤。
【請求項３】
前記の眼用製剤は、さらに、（c）ステロイド系化合物、糖質コルチコイド系化合物、
抗生物質、またはこれらの組み合わせからなる群から選ばれる第二活性成分を含むことを特徴とする請求項1または２に記載の眼用製剤。
【請求項４】
前記の薬学的に許容される担体は目に刺激性のないものであることを特徴とする請求項1から３のうちのいずれか１項に記載の眼用製剤。
【請求項５】
前記眼用製剤は、ポリヒドロキシ化合物、界面活性剤および増稠剤を含み、
前記眼用製剤の合計重量に対して、
前記ポリヒドロキシ化合物の含有量は0.1〜50wt％で、
前記界面活性剤の含有量は0〜2wt％で、
前記増稠剤の含有量は0〜6wt％である
ことを特徴とする請求項1から４のうちのいずれか１項に記載の眼用製剤。
【請求項６】
前記眼用製剤のpH値は6.0〜8.0であることを特徴とする請求項1から５のうちのいずれか１項に記載の眼用製剤。
【請求項７】
前記の眼用製剤は眼部に投与するための水溶液であることを特徴とする請求項1に記載
の眼用製剤。
【請求項８】
前記眼用製剤は、以下の成分を含むことを特徴とする請求項1に記載の眼用製剤：
0.05〜40μMの前記アゾール系化合物、
10〜50mMのラノステロール系化合物、
0.1〜50wt％のポリヒドロキシ化合物、
0〜1wt％の相溶剤、
0.2〜0.4wt％の増稠剤、
0〜0.5wt％の防腐剤、
および残量の水を含み、
かつ前記眼用製剤のpH値は約6.5〜7.5で、かつ浸透圧は240〜510mOsmである。
【請求項９】
請求項1に記載の眼用製剤の製造方法であって、以下の工程を含むことを特徴とする方
法：
（1）（a）薬学的に許容される担体と、（b）第一活性成分としてのアゾール系化合物
を混合することによって、請求項1に記載の眼用製剤を形成する。
【請求項１０】
請求項1に記載の眼用製剤の使用であって、前記眼用製剤はヒトまたはヒト以外の哺乳
動物の眼部水晶体疾患を治療または予防する薬物の製造に使用されることを特徴とする使用。
【請求項１１】
必要な対象の目に非侵襲的に前記眼用製剤を施用することを含むことを特徴とする、眼部水晶体疾患を予防または治療する方法に使用される請求項1に記載の眼用製剤。
【請求項１２】
前記眼部水晶体疾患は、白内障、老眼、またはこれらの組合せからなる群から選ばれることを特徴とする請求項11に記載の眼用製剤。
【請求項１３】
必要な対象の目に対して経口に一つの経口投与製剤を施用するか、あるいは注射剤形を施用することを含むことを特徴とする、眼部水晶体疾患を予防または治療する方法に使用され、（a1）薬学的に許容される担体と、（b1）第一活性成分としてのアゾール系化合物とを含み、前記経口投与製剤または前記注射剤形における前記アゾール系化合物の濃度は0.01〜90wt％であることを特徴とする経口投与製剤または注射剤形。
【手続補正書】
【提出日】令和2年8月28日(2020.8.28)
【手続補正１】
【補正対象書類名】特許請求の範囲
【補正対象項目名】全文
【補正方法】変更
【補正の内容】
【特許請求の範囲】
【請求項１】
複素環式環、合成ステムおよび生物学的分子を含む合成物であって、該複素環式環が（ａ）該合成ステムに共有結合的に連結されており、（ｂ）該生物学的分子と非共有結合的に会合している、合成物。
【請求項２】
前記非共有結合的会合が、アンチカオトロピック塩への曝露時に安定である、請求項１に記載の合成物。
【請求項３】
前記非共有結合的会合が疎水性相互作用を含む、請求項２に記載の合成物。
【請求項４】
前記疎水性相互作用が、π相互作用、π−π相互作用およびπスタッキング相互作用からなる群より選択される、請求項３に記載の合成物。
【請求項５】
前記合成ステムが置換炭化水素または非置換炭化水素を含む、請求項１に記載の合成物。
【請求項６】
前記合成ステムが小分子薬物を含む、請求項１に記載の合成物。
【請求項７】
前記合成ステムがＰＥＧを含む、請求項１に記載の合成物。
【請求項８】
前記複素環式環が複素環式芳香族第４級アミンを含む、請求項１に記載の合成物。
【請求項９】
前記複素環式環が水混和性である、請求項１に記載の合成物。
【請求項１０】
前記複素環式環がピリジニウム環を含む、請求項８に記載の合成物。
【請求項１１】
前記複素環式環が約３〜約１０のｐＨ範囲にわたって正に荷電している、請求項９に記載の合成物。
【請求項１２】
前記生物学的分子が、抗体、タンパク質、ペプチド、ＤＮＡ、ＲＮＡおよびＤＮＡリガンドからなる群より選択される、請求項１に記載の合成物。
【請求項１３】
１コピーを超える前記複素環式環が前記合成ステムに共有結合的に連結されている、請求項１に記載の合成物。
【請求項１４】
前記複素環式環が前記合成ステムに共有結合的に連結されており、同じまたは異なる生物学的分子と非共有結合的に会合しており、複数コピーの該生物学的分子が同じ合成ステムに連結されている、請求項１２に記載の合成物。
【請求項１５】
前記合成ステムが非水相中で分子と共有結合的または非共有結合的に会合しており、前記複素環式環が水相中で同じまたは異なる生物学的分子と非共有結合的に会合している、請求項１３に記載の合成物。
【請求項１６】
前記非共有結合的会合が、生理学的条件下で可逆的または部分的に可逆的である、請求項１２に記載の合成物。
【請求項１７】
前記合成ステムが前記小分子薬物に共有結合的に付着されており、前記複素環式環が同じまたは異なる生物学的分子と非共有結合的に会合している、請求項１２に記載の合成物。
【請求項１８】
前記合成ステムが小分子薬物または高分子薬物に共有結合的に連結されており、前記複素環式環が前記生物学的分子に非共有結合的に会合しており、前記生物学的分子が同じ種類のものであるか、または互いに異なるものである、請求項１２に記載の合成物。
【請求項１９】
腫瘍学もしくは免疫学またはその両方の疾患の処置のための、請求項６または１７または１８に記載の合成物を含む医薬であって、前記小分子または前記生物学的分子が、腫瘍学もしくは免疫学またはその両方の疾患の処置のための薬物である、医薬。
【請求項２０】
感染症もしくは炎症またはその両方の疾患の処置のための、請求項６または１７または１８に記載の合成物を含む医薬であって、前記小分子または前記生物学的分子が、腫瘍学もしくは免疫学またはその両方の疾患の処置のための薬物である、医薬。
【手続補正２】
【補正対象書類名】明細書
【補正対象項目名】００３７
【補正方法】変更
【補正の内容】
【００３７】
実施形態の上記特徴は、添付の図面と併せて以下の詳細な説明を参照することによってより容易に理解されるであろう。
本発明の実施形態において、例えば以下の項目が提供される。
（項目１）
複素環式環、合成ステムおよび生物学的分子を含む合成物であって、該複素環式環が（ａ）該合成ステムに共有結合的に連結されており、（ｂ）該生物学的分子と非共有結合的に会合している、合成物。
（項目２）
前記非共有結合的会合が、アンチカオトロピック塩への曝露時に安定である、項目１に記載の合成物。
（項目３）
前記非共有結合的会合が疎水性相互作用を含む、項目２に記載の合成物。
（項目４）
前記疎水性相互作用が、π相互作用、π−π相互作用およびπスタッキング相互作用からなる群より選択される、項目３に記載の合成物。
（項目５）
前記合成ステムが置換炭化水素または非置換炭化水素を含む、項目１に記載の合成物。
（項目６）
前記合成ステムが小分子薬物を含む、項目１に記載の合成物。
（項目７）
前記合成ステムがＰＥＧを含む、項目１に記載の合成物。
（項目８）
前記複素環式環が複素環式芳香族第４級アミンを含む、項目１に記載の合成物。
（項目９）
前記複素環式環が水混和性である、項目１に記載の合成物。
（項目１０）
前記複素環式環がピリジニウム環を含む、項目８に記載の合成物。
（項目１１）
前記複素環式環が約３〜約１０のｐＨ範囲にわたって正に荷電している、項目９に記載の合成物。
（項目１２）
前記生物学的分子が、抗体、タンパク質、ペプチド、ＤＮＡ、ＲＮＡおよびＤＮＡリガンドからなる群より選択される、項目１に記載の合成物。
（項目１３）
１コピーを超える前記複素環式環が前記合成ステムに共有結合的に連結されている、項目１に記載の合成物。
（項目１４）
前記複素環式環が前記合成ステムに共有結合的に連結されており、同じまたは異なる生物学的分子と非共有結合的に会合しており、複数コピーの該生物学的分子が同じ合成ステムに連結されている、項目１２に記載の合成物。
（項目１５）
前記合成ステムが非水相中で分子と共有結合的または非共有結合的に会合しており、前記複素環式環が水相中で同じまたは異なる生物学的分子と非共有結合的に会合している、項目１３に記載の合成物。
（項目１６）
前記非共有結合的会合が、生理学的条件下で可逆的または部分的に可逆的である、項目１２に記載の合成物。
（項目１７）
前記合成ステムが前記小分子薬物に共有結合的に付着されており、前記複素環式環が同じまたは異なる生物学的分子と非共有結合的に会合している、項目１２に記載の合成物。
（項目１８）
前記合成ステムが小分子薬物または高分子薬物に共有結合的に連結されており、前記複素環式環が前記生物学的分子に非共有結合的に会合しており、前記生物学的分子が同じ種類のものであるか、または互いに異なるものである、項目１２に記載の合成物。
（項目１９）
腫瘍学もしくは免疫学またはその両方の疾患の処置のための医薬としての、項目６または１７または１８に記載の合成物の使用であって、前記小分子または前記生物学的分子が、腫瘍学もしくは免疫学またはその両方の疾患の処置のための薬物である、使用。
（項目２０）
感染症もしくは炎症またはその両方の疾患の処置のための医薬としての、項目６または１７または１８に記載の合成物の使用であって、前記小分子または前記生物学的分子が、腫瘍学もしくは免疫学またはその両方の疾患の処置のための薬物である、使用。
【手続補正書】
【提出日】令和2年9月10日(2020.9.10)
【手続補正１】
【補正対象書類名】特許請求の範囲
【補正対象項目名】全文
【補正方法】変更
【補正の内容】
【特許請求の範囲】
【請求項１】
ＯＮＣＯＳ−１０２アデノウイルスを含む、ヒト癌を処置するための薬剤であって、
前記ウイルスが、１又は複数のチェックポイント阻害剤と組み合わせて患者に投与されることを特徴とする、薬剤。
【請求項２】
前記ヒト癌が進行黒色腫、腎臓癌、卵巣癌、膀胱癌、前立腺癌、乳癌、大腸癌、肺癌、胃癌、古典的ホジキンリンパ腫、中皮腫、及び肝臓癌からなる群から選択される、請求項１に記載の薬剤。
【請求項３】
前記ヒト癌が進行黒色腫である、請求項１又は２に記載の薬剤。
【請求項４】
前記チェックポイント阻害剤が抗ＰＤ−１抗体若しくは抗ＰＤ−Ｌ１抗体、又はそれらの任意の組合せである、請求項１〜３のいずれか一項に記載の薬剤。
【請求項５】
前記抗ＰＤ−１抗体がペンブロリズマブ又はニボルマブである、請求項４に記載の薬剤。
【請求項６】
前記抗ＰＤ−Ｌ１抗体がデュルバルマブである、請求項４に記載の薬剤。
【請求項７】
前記ウイルスの量が５×１０10〜５×１０11ＶＰである、請求項１〜６のいずれか一項に記載の薬剤。
【請求項８】
前記ウイルスが３×１０11ＶＰの量で投与される、請求項７に記載の薬剤。
【請求項９】
前記ウイルスが１又は複数のチェックポイント阻害剤の投与前に投与され、且つ、所望により、ウイルスが前記１又は複数のチェックポイント阻害剤の投与期間中にも、及び／又は前記１又は複数のチェックポイント阻害剤の投与後にも投与される、請求項１〜８のいずれか一項に記載の薬剤。
【請求項１０】
前記患者にＯＮＣＯＳ−１０２アデノウイルスが１〜１０回投与され、且つ、前記チェックポイント阻害剤が１〜１５回投与される、請求項１〜９のいずれか一項に記載の薬剤。
【請求項１１】
ヒト癌を処置するための薬剤を製造するためのＯＮＣＯＳ−１０２アデノウイルスの使用であって、
前記薬剤は、前記ウイルスが１又は複数のチェックポイント阻害剤と組み合わせて前記処置を必要とする患者に投与されることを特徴とする、使用。
【手続補正２】
【補正対象書類名】明細書
【補正対象項目名】０１６５
【補正方法】変更
【補正の内容】
【０１６５】
参照文献
2019532047.tif 000001
2019532047.tif 000002
本発明のまた別の態様は、以下のとおりであってもよい。
〔１〕患者に１又は複数のチェックポイント阻害剤と組み合わせて投与される、ヒト癌の処置において使用するためのＯＮＣＯＳ−１０２アデノウイルス。
〔２〕前記ヒト癌が進行黒色腫、腎臓癌、卵巣癌、膀胱癌、前立腺癌、乳癌、大腸癌、肺癌、胃癌、古典的ホジキンリンパ腫、中皮腫、及び肝臓癌からなる群から選択される、前記〔１〕に記載のヒト癌の処置において使用するためのＯＮＣＯＳ−１０２アデノウイルス。
〔３〕前記ヒト癌が進行黒色腫である、前記〔１〕又は〔２〕に記載のヒト癌の処置において使用するためのＯＮＣＯＳ−１０２アデノウイルス。
〔４〕前記チェックポイント阻害剤が抗ＰＤ−１抗体若しくは抗ＰＤ−Ｌ１抗体、又はそれらの任意の組合せである、前記〔１〕〜〔３〕のいずれか一項に記載のヒト癌の処置において使用するためのＯＮＣＯＳ−１０２アデノウイルス。
〔５〕前記抗ＰＤ−１抗体がペンブロリズマブ又はニボルマブである、前記〔４〕に記載のヒト癌の処置において使用するためのＯＮＣＯＳ−１０２アデノウイルス。
〔６〕前記抗ＰＤ−Ｌ１抗体がデュルバルマブである、前記〔４〕に記載のヒト癌の処置において使用するためのＯＮＣＯＳ−１０２アデノウイルス。
〔７〕前記ウイルスの量が５×１０10〜５×１０11ＶＰである、前記〔１〕〜〔６〕のいずれか一項に記載のヒト癌の処置において使用するためのＯＮＣＯＳ−１０２アデノウイルス。
〔８〕前記ウイルスが３×１０11ＶＰの量で投与される、前記〔７〕に記載のヒト癌の処置において使用するためのＯＮＣＯＳ−１０２アデノウイルス。
〔９〕前記ウイルスが１又は複数のチェックポイント阻害剤の投与前に投与され、且つ、所望により、ウイルスが前記１又は複数のチェックポイント阻害剤の投与期間中にも、及び／又は前記１又は複数のチェックポイント阻害剤の投与後にも投与される、前記〔１〕〜〔８〕のいずれか一項に記載のヒト癌の処置において使用するためのＯＮＣＯＳ−１０２アデノウイルス。
〔１０〕患者において癌を処置するための方法であって、前記患者にＯＮＣＯＳ−１０２アデノウイルス及び１又は複数のチェックポイント阻害剤を投与する工程を含む、方法。
〔１１〕前記１又は複数のチェックポイント阻害剤が抗ＰＤ−１抗体若しくは抗ＰＤ−Ｌ１抗体、又はそれらの任意の組合せである、前記〔１０〕に記載の方法。
〔１２〕前記抗ＰＤ−１抗体がペンブロリズマブ又はニボルマブであり、かつ、前記抗ＰＤ−Ｌ１抗体がデュルバルマブである、前記〔１１〕に記載の方法。
〔１３〕前記ウイルスが１又は複数のチェックポイント阻害剤の投与前に投与され、且つ、所望により、前記ウイルスが前記１若しくは複数のチェックポイント阻害剤の投与期間中にも、及び／又は前記１又は複数のチェックポイント阻害剤の投与後にも投与される、前記〔１０〕〜〔１２〕のいずれか一項に記載の方法。
〔１４〕前記患者にＯＮＣＯＳ−１０２アデノウイルスが１〜１０回投与され、且つ、前記チェックポイント阻害剤が１〜１５回投与される、前記〔１０〕〜〔１３〕のいずれか一項に記載の方法。
〔１５〕ヒト癌の処置におけるＯＮＣＯＳ−１０２アデノウイルスの使用であって、前記ウイルスが前記処置を必要とする患者に１又は複数のチェックポイント阻害剤と組み合わせて投与される、使用。
【手続補正書】
【提出日】令和2年10月5日(2020.10.5)
【手続補正１】
【補正対象書類名】特許請求の範囲
【補正対象項目名】全文
【補正方法】変更
【補正の内容】
【特許請求の範囲】
【請求項１】
式（Ｉ）： 
【化３０】
2019532050.tif 000001
（式中、
Ｒ１’は、メチルであり；
Ｒ１は、
ｉ）メチル、
ii）エチル、
iii）トリフルオロメチル
iv）ヒドロキシメチル、
ｖ）シクロプロピル、及び
vi）シアノ
からなる群から選択されるか；
又はＲ１’及びＲ１は、これらが結合している炭素原子と共に、１，１−ジオキソ−テトラヒドロ−チオフェン−３−イルを形成し；
Ｒ２は、
ｉ）水素、
ii）メチル、
iii）エチル、
iv）イソプロピル、
ｖ）tert−ブチル、
vi）シクロプロピル、
vii）シクロプロピルメチル、及び
viii）ヒドロキシメチル
からなる群から選択され；
Ｒ３は、
ｉ）水素、
ii）クロロ、
iii）フルオロ、
iv）メチル
ｖ）イソプロピル、
vi）メトキシ、
vii）シアノ、
viii）シクロプロピル、及び
ix）トリフルオロメチル
からなる群から選択され；
Ｒ４は、
ｉ）水素、
ii）クロロ、
iii）フルオロ、及び
iv）メチル
からなる群から選択される）
の化合物；
又は薬学的に許容し得る塩。
【請求項２】
Ｒ１がメチルである、請求項１記載の化合物。
【請求項３】
Ｒ２が、
ｉ）メチル、
ii）エチル、
iii）イソプロピル、及び
iv）tert−ブチル
からなる群から選択される、請求項１又は２記載の化合物。
【請求項４】
Ｒ３が、
ｉ）クロロ、
ii）フルオロ、及び
iii）トリフルオロメチル
からなる群から選択される、請求項１〜３のいずれか一項記載の化合物。
【請求項５】
Ｒ４がＨである、請求項１〜４のいずれか一項記載の化合物。
【請求項６】
Ｒ１’及びＲ１が、いずれもメチルであり；
Ｒ２が、
ｉ）メチル、
ii）エチル、
iii）イソプロピル、及び
iv）tert-ブチル
からなる群から選択され；
Ｒ３が、
ｉ）クロロ、
ii）フルオロ、及び
iii）トリフルオロメチル
からなる群から選択され；
Ｒ４が、Ｈである、請求項１記載の化合物又は薬学的に許容し得る塩。
【請求項７】
Ｎ−tert−ブチル−３−（４−フルオロフェニル）−５−（３−プロパン−２−イルイミダゾール−４−イル）ベンズアミド；
Ｎ−tert−ブチル−３−（３−プロパン−２−イルイミダゾール−４−イル）−５−［４−（トリフルオロメチル）フェニル］ベンズアミド；
Ｎ−tert−ブチル−３−（４−クロロフェニル）−５−（３−プロパン−２−イルイミダゾール−４−イル）ベンズアミド；
Ｎ−tert−ブチル−３−（４−クロロフェニル）−５−（３−メチルイミダゾール−４−イル）ベンズアミド；
Ｎ−tert−ブチル−３−（３−メチルイミダゾール−４−イル）−５−［４−（トリフルオロメチル）フェニル］ベンズアミド；
Ｎ−tert−ブチル−３−（４−フルオロフェニル）−５−（３−メチルイミダゾール−４−イル）ベンズアミド；
Ｎ−tert−ブチル−３−（３−tert−ブチルイミダゾール−４−イル）−５−（４−クロロフェニル）ベンズアミド；
Ｎ−tert−ブチル−３−（４−クロロフェニル）−５−（３−エチルイミダゾール−４−イル）ベンズアミド；
Ｎ−tert−ブチル−３−（３−エチルイミダゾール−４−イル）−５−（４−フルオロフェニル）ベンズアミド；
Ｎ−tert−ブチル−３−（３−エチルイミダゾール−４−イル）−５−［４−（トリフルオロメチル）フェニル］ベンズアミド；
Ｎ−tert−ブチル−３−（３−tert−ブチルイミダゾール−４−イル）−５−（４−フルオロフェニル）ベンズアミド；
Ｎ−tert−ブチル−３−（３−tert−ブチルイミダゾール−４−イル）−５−［４−（トリフルオロメチル）フェニル］ベンズアミド；
から選択される、請求項１〜６のいずれか一項記載の化合物又はその薬学的に許容し得る塩。
【請求項８】
請求項１〜７のいずれか一項記載の化合物を調製する方法であって、
ａ）式（III）の化合物の存在下での、式（II）の化合物の反応（式中、Ｒ１、Ｒ１’、Ｒ２、Ｒ３、及びＲ４は、請求項１〜６のいずれか一項に定義された通りである）；
【化３１】
2019532050.tif 000002
又は
ｂ）式（Ｖ）の化合物の存在下での、式（IV）の化合物の反応（式中、Ｒ１、Ｒ１’、Ｒ２、Ｒ３、及びＲ４は、請求項１〜６のいずれか一項に定義された通りである）；
【化３２】
2019532050.tif 000003
又は
ｃ）式（VII）の化合物の存在下での、式（XVII）の化合物の反応（式中、Ｒ１、Ｒ１’、Ｒ２、Ｒ３、及びＲ４は、請求項１〜６のいずれか一項に定義された通りである）；
【化３３】
2019532050.tif 000004
又は
ｄ）式（XVI）の化合物の存在下での、式（XVIII）の化合物の反応（式中、Ｒ１、Ｒ１’、Ｒ２、Ｒ３、及びＲ４は、請求項１〜６のいずれか一項に定義された通りである）
【化３４】
2019532050.tif 000005
を含む方法。
【請求項９】
処置活性物質として用いるための、請求項１〜７のいずれか一項記載の化合物。
【請求項１０】
請求項１〜７のいずれか一項記載の化合物と、処置的に不活性である担体とを含む医薬組成物。
【請求項１１】
眼疾患を治療又は予防するための、請求項１〜７のいずれか一項記載の化合物の使用。
【請求項１２】
眼疾患を治療又は予防するための、請求項１〜７のいずれか一項記載の化合物。
【請求項１３】
眼疾患を治療又は予防するための医薬を調製するための、請求項１〜７のいずれか一項記載の化合物の使用。
【請求項１４】
眼疾患を治療又は予防する方法に用いられる医薬組成物であって、有効量の請求項１〜７のいずれか一項記載の化合物を含む医薬組成物を投与することを含む方法に用いられる請求項１〜７のいずれか一項記載の化合物を有効成分として含む医薬組成物。
【手続補正書】
【提出日】令和2年9月7日(2020.9.7)
【手続補正１】
【補正対象書類名】特許請求の範囲
【補正対象項目名】全文
【補正方法】変更
【補正の内容】
【特許請求の範囲】
【請求項１】
血中コレステロールレベルの低減を必要とするヒト対象または非ヒト対象における血中コレステロールレベルを低減させるための、ダイナミン関連タンパク質1(DRP1)の低分子阻害剤を含む薬学的組成物。
【請求項２】
前記DRP1の低分子阻害剤が、DRP1発現を阻害する、請求項1記載の薬学的組成物。
【請求項３】
前記DRP1の低分子阻害剤が、Mdivi-1である、請求項1または2記載の薬学的組成物。
【請求項４】
前記DRP1の低分子阻害剤が、DRP1活性を阻害する、請求項1〜3のいずれか一項記載の薬学的組成物。
【請求項５】
薬学的に許容される担体と併用される、請求項1〜4のいずれか一項記載の薬学的組成物。
【請求項６】
少なくとも1つの追加のコレステロール低下物質と併用される、請求項1〜5のいずれか一項記載の薬学的組成物。
【請求項７】
前記少なくとも1つの追加のコレステロール低下物質が、スタチン、7-アルファヒドロキシラーゼ、肝臓X受容体アゴニスト、胆汁酸結合樹脂、コレステロール吸収阻害剤、フィブラート、ナイアシン、オメガ-3脂肪酸、およびプテロスチルベンからなる群より選択される、請求項6記載の薬学的組成物。
【請求項８】
前記低分子DRP1阻害剤が、対象における低密度リポタンパク質の低減を引き起こす、請求項1〜7のいずれか一項記載の薬学的組成物。
【請求項９】
前記低分子DRP1阻害剤が、対象における血清前駆タンパク質転換酵素サブチリシン/ケキシン9型(PCSK9)の低減を引き起こす、請求項1〜8のいずれか一項記載の薬学的組成物。
【請求項１０】
前記低分子DRP1阻害剤が、対象の細胞におけるPCSK9 mRNAの低減を引き起こす、請求項1〜9のいずれか一項記載の薬学的組成物。
【請求項１１】
前記対象が、高レベルのコレステロールまたは高レベルの低密度リポタンパク質を有する、請求項1〜10のいずれか一項記載の薬学的組成物。
【請求項１２】
前記対象が、従来のスタチン療法に対して不耐性を示している、請求項1〜11のいずれか一項記載の薬学的組成物。
【請求項１３】
ダイナミン関連タンパク質1(DRP1)の低分子阻害剤の有効量と薬学的に許容される担体とを含む、薬学的組成物。
【請求項１４】
Mdivi-1の有効量と薬学的に許容される担体とを含む、薬学的組成物。
【請求項１５】
細胞における前駆タンパク質転換酵素サブチリシン/ケキシン9型(PCSK9)の分泌および発現を低減させるための方法であって、細胞を、ダイナミン関連タンパク質1(DRP1)の低分子阻害剤の有効量、またはDRP1の低分子阻害剤を含む組成物の有効量と接触させる工程を含み、それによって、該細胞におけるPCSK9発現および/または分泌のレベルが、該DRP1阻害剤と接触させる前の細胞におけるPCSK9発現および/または分泌のレベルと比べて減少する、前記方法。
【請求項１６】
前駆タンパク質転換酵素サブチリシン/ケキシン9型(PCSK9)血清レベルの減少を必要とする哺乳動物におけるPCSK9血清レベルを、該哺乳動物中の細胞への接触により減少させるための、ダイナミン関連タンパク質1(DRP1)の低分子阻害剤を含む薬学的組成物であって、該哺乳動物におけるPCSK9発現および/または分泌のレベルが、該組成物と接触させる前の哺乳動物におけるPCSK9発現および/または分泌のレベルと比べて減少する、前記薬学的組成物。
【請求項１７】
細胞の低密度リポタンパク質受容体(LDLR)の発現を増加させるための方法であって、細胞を、ダイナミン関連タンパク質1(DRP1)の低分子阻害剤の有効量、またはDRP1の低分子阻害剤を含む組成物の有効量と接触させる工程を含み、それによって、該細胞におけるLDLR発現のレベルが、該DRP1阻害剤と接触させる前の細胞におけるLDLR発現のレベルと比べて増加する、前記方法。
【請求項１８】
がんまたは炎症性疾患もしくは障害の処置を必要とするヒト対象または非ヒト対象におけるがんまたは炎症性疾患もしくは障害を処置するための、ダイナミン関連タンパク質1(DRP1)の低分子阻害剤を含む薬学的組成物。
【請求項１９】
少なくとも1つの抗炎症剤および/または抗がん剤と併用される、請求項18記載の薬学的組成物。
【請求項２０】
対象における上昇したコレステロールの処置において使用するための、低分子ダイナミン関連タンパク質1(DRP1)阻害剤。
【請求項２１】
対象における上昇したコレステロールの処置のための医薬の製造において使用するための、低分子ダイナミン関連タンパク質1(DRP1)阻害剤。
【請求項２２】
対象における上昇したコレステロールの処置のための、低分子ダイナミン関連タンパク質1(DRP1)阻害剤を含む薬学的組成物。
【請求項２３】
対象における上昇したコレステロールの処置のための医薬の製造における、低分子ダイナミン関連タンパク質1(DRP1)阻害剤の使用。
【請求項２４】
がんの処置のための医薬の製造における、低分子ダイナミン関連タンパク質1(DRP1)阻害剤の使用。
【請求項２５】
炎症性疾患または障害の処置のための医薬の製造における、低分子ダイナミン関連タンパク質1(DRP1)阻害剤の使用。
【請求項２６】
対象におけるがんまたは炎症性疾患/障害の処置において使用するための、低分子ダイナミン関連タンパク質1(DRP1)阻害剤。
【手続補正書】
【提出日】令和2年10月23日(2020.10.23)
【手続補正１】
【補正対象書類名】特許請求の範囲
【補正対象項目名】請求項１９
【補正方法】変更
【補正の内容】
【請求項１９】
使用目的が、距離測定；位置測定；娯楽用途；セキュリティ用途；ヒューマンマシンインターフェース用途；追跡用途；スキャニング用途；立体視；写真撮影用途；撮像用途またはカメラ用途；少なくとも１つの空間のマップを生成するためのマッピング用途；車両用のホーミングまたは追跡ビーコン検出器；熱的特徴を有する物体の距離および／または位置測定；マシンビジョン用途；ロボット用途；物流用途；車両用途；飛行機用途；船用途；宇宙船用途；ロボット用途；医療用途；スポーツの用途；ビルディング用途；建設用途；製造用途；マシンビジョン用途；飛行時間検出器、レーダー、ライダー、超音波センサ、干渉法から選択される少なくとも１つの検知技術と組み合わせての使用；赤外線検出用途；熱検出用途；温度計用途；熱探査用途；炎検出用途；火災検出用途；煙検出用途；温度感知用途；分光用途；コピー用途；ゼログラフィ用途；排ガス監視用途；燃焼プロセス監視用途；汚染監視用途；工業用プロセス監視用途；化学プロセス監視用途；食品加工プロセス監視用途；水質監視用途；大気質監視用途；品質管理用途；温度制御用途；モーションコントロール用途；排気制御用途；ガス感知用途；ガス分析用途；動き感知用途；化学感知用途；からなる群から選択される、検出器（１１０）に関する請求項１から１６のいずれか一項に記載の検出器（１１０）の使用。
【手続補正書】
【提出日】令和2年9月14日(2020.9.14)
【手続補正１】
【補正対象書類名】特許請求の範囲
【補正対象項目名】全文
【補正方法】変更
【補正の内容】
【特許請求の範囲】
【請求項１】
ワイヤレス通信のための方法であって、
第1の受信時間において受信された第1の物理ランダムアクセスチャネル(PRACH)送信が首尾よく復号されることに失敗したことを特定するステップであって、前記第1のPRACH送信が第1の制御メッセージを備える、ステップと、
前記第1のPRACH送信が首尾よく復号されることに失敗したことを特定したことに少なくとも一部基づいて、第2の受信時間において第2のPRACH送信を受信するステップであって、前記第2のPRACH送信が第2の制御メッセージを備える、ステップと、
前記第1の制御メッセージおよび前記第2の制御メッセージに少なくとも一部基づいて、前記第1のPRACH送信と前記第2のPRACH送信の両方に存在する共通メッセージ部分を特定するステップと、
前記第1の受信時間および前記第2の受信時間に少なくとも一部基づいて、前記第1のPRACH送信と前記第2のPRACH送信との間の固定されたタイミングを決定するステップと、
前記共通メッセージ部分および前記固定されたタイミングに少なくとも一部基づいて、前記第1のPRACH送信と前記第2のPRACH送信の両方に共通のデータを抽出するステップとを備える、方法。
【請求項２】
合成されたPRACH制御メッセージを生成するステップをさらに備える、請求項1に記載の方法。
【請求項３】
コンテンションフリーランダムアクセス手順を開始するステップをさらに備え、前記データを抽出するステップが、前記コンテンションフリーランダムアクセス手順を開始することに少なくとも一部基づく、請求項2に記載の方法。
【請求項４】
前記合成されたPRACH制御メッセージを生成するステップが、前記第1のPRACH送信、前記第2のPRACH送信、前記共通メッセージ部分、および前記固定されたタイミングに少なくとも一部基づき、前記データを抽出するステップが、前記合成されたPRACH制御メッセージに少なくとも一部基づく、請求項2に記載の方法。
【請求項５】
前記共通メッセージ部分を特定するステップがさらに、
前記第1のPRACH送信が前記第2のPRACH送信と同じであると決定するステップを備える、請求項1に記載の方法。
【請求項６】
前記共通メッセージ部分を特定するステップがさらに、
前記第1のPRACH送信のタイプが前記第2のPRACH送信のタイプと同じであると決定するステップを備え、前記データを抽出するステップが前記決定に少なくとも一部基づく、請求項1に記載の方法。
【請求項７】
前記共通メッセージ部分を特定するステップがさらに、
前記第1のPRACH送信における前記第1の制御メッセージの位置を特定するステップを備え、
前記方法が、前記第2のPRACH送信における前記第2の制御メッセージの位置を特定するステップをさらに備え、前記データを抽出するステップが、前記第1の制御メッセージの前記位置が前記第2の制御メッセージの前記位置と同じであることに少なくとも一部基づく、請求項1に記載の方法。
【請求項８】
受信されたPRACH送信の数を特定するステップと、
受信されたPRACH送信の前記数がPRACH送信の閾値の数以上であることに少なくとも一部基づいて前記RACH手順を終了するステップとをさらに備える、請求項1に記載の方法。
【請求項９】
ユーザ機器(UE)と基地局のセルとの間の通信リンクを確立するためにランダムアクセス(RACH)手順を開始するステップと、
前記開始するステップに少なくとも一部基づいて複数のPRACH送信機会を有するPRACH送信スケジュールを送信するステップとをさらに備え、前記データを抽出するステップが前記PRACH送信スケジュールに少なくとも一部基づく、請求項1に記載の方法。
【請求項１０】
前記第1のPRACH送信または前記第2のPRACH送信が、1つまたは複数の自己完結型アップリンクスロットへとマッピングされる、請求項1に記載の方法。
【請求項１１】
前記第1のPRACH送信および前記第2のPRACH送信が、アウターループ電力制御に少なくとも一部基づく、請求項1に記載の方法。
【請求項１２】
前記第2のPRACH送信の送信電力が、前記第1のPRACH送信の送信電力より大きい、請求項1に記載の方法。
【請求項１３】
前記第2のPRACH送信が首尾よく復号されることに失敗したことに少なくとも一部基づいて第3のPRACH送信を受信するステップをさらに備える、請求項1に記載の方法。
【請求項１４】
ワイヤレス通信のための装置であって、
第1の受信時間において受信された第1の物理ランダムアクセスチャネル(PRACH)送信が首尾よく復号されることに失敗したことを特定するための手段であって、前記第1のPRACH送信が第1の制御メッセージを備える、手段と、
前記第1のPRACH送信が首尾よく復号されることに失敗したことを特定したことに少なくとも一部基づいて、第2の受信時間において第2のPRACH送信を受信するための手段であって、前記第2のPRACH送信が第2の制御メッセージを備える、手段と、
前記第1の制御メッセージおよび前記第2の制御メッセージに少なくとも一部基づいて、前記第1のPRACH送信と前記第2のPRACH送信の両方に存在する共通メッセージ部分を特定するための手段と、
前記第1の受信時間および前記第2の受信時間に少なくとも一部基づいて、前記第1のPRACH送信と前記第2のPRACH送信との間の固定されたタイミングを決定するための手段と、
前記共通メッセージ部分および前記固定されたタイミングに少なくとも一部基づいて、前記第1のPRACH送信と前記第2のPRACH送信の両方に共通のデータを抽出するための手段とを備える、装置。
【請求項１５】
実行されると、コンピュータに請求項1から13のいずれか一項に記載の方法を行わせるプログラムコードを備える、コンピュータ可読記憶媒体。
【手続補正書】
【提出日】令和2年9月18日(2020.9.18)
【手続補正１】
【補正対象書類名】特許請求の範囲
【補正対象項目名】全文
【補正方法】変更
【補正の内容】
【特許請求の範囲】
【請求項１】
ユーザ機器(UE)におけるランダムアクセスチャネル(RACH)手順の方法であって、
前記UEにおいて、2段階RACH手順または4段階RACH手順を選択するステップであって、
前記選択するステップが、基地局から受信されたRACH構成情報に少なくとも基づき、
前記2段階RACH手順または前記4段階RACH手順を前記選択するステップが、
前記UEにおいて、前記受信されたRACH構成情報に少なくとも基づいて、前記基地局から受信された同期信号または基準信号の基準信号受信電力(RSRP)値を決定するステップと、
前記同期信号または前記基準信号の前記RSRP値がしきい値に等しいかまたはそれよりも大きいとの決定に応答して、前記2段階RACH手順を選択するか、あるいは、前記同期信号または前記基準信号の前記RSRP値がしきい値よりも小さいとの決定に応答して、前記4段階RACH手順を選択するステップと
を備える、ステップと、
前記UEから、前記選択に基づく前記2段階RACH手順または前記4段階RACH手順に関連付けられた1つまたは複数のメッセージを送信するステップと
を備える方法。
【請求項２】
前記選択するステップが、前記2段階RACH手順を選択するステップを含み、前記送信するステップが、前記1つまたは複数のメッセージのうちの第1のメッセージを送信するステップを含み、前記第1のメッセージが、前記基地局によって基準信号(RS)として使用される物理RACH(PRACH)シーケンスまたはサウンディング基準信号(SRS)を含む、請求項1に記載の方法。
【請求項３】
前記UEから、前記UEのハンドオーバ中にペイロードを前記基地局に送信するステップであって、前記ペイロードが前記第1のメッセージの一部として送信される、ステップ
をさらに備える、請求項2に記載の方法。
【請求項４】
前記ペイロードが、測定値報告、バッファステータス報告、チャネル状態フィードバック(CSF)情報、またはユーザデータである、請求項3に記載の方法。
【請求項５】
前記選択するステップが、前記2段階RACH手順を選択するステップを含み、前記送信するステップが、
前記UEから、前記1つまたは複数のメッセージのうちの第1のメッセージを前記基地局に送信するステップと、
前記第1のメッセージを前記基地局に送信したことに応答して、前記基地局から、前記1つまたは複数のメッセージのうちの第2のメッセージを受信するステップと
をさらに備える、請求項1に記載の方法。
【請求項６】
前記第1のメッセージが1つまたは複数のビーム上で送信され、前記第2のメッセージが前記1つまたは複数のビーム上で受信される、請求項5に記載の方法。
【請求項７】
前記第2のメッセージが、前記1つまたは複数のビームのうちの2つのビーム上で受信され、前記方法が、
前記2つのビーム上で前記第2のメッセージにおいてランダムアクセス応答(RAR)ペイロードを受信するステップであって、前記RARペイロードが前記2つのビーム上で分割されるか、または前記2つのビーム上で繰り返される、ステップ
をさらに備える、請求項6に記載の方法。
【請求項８】
前記UEが、前記基地局からマスタ情報ブロック(MIB)またはシステム情報ブロック(SIB)において前記RACH構成情報を受信する、請求項1に記載の方法。
【請求項９】
前記選択するステップが、前記2段階RACH手順を選択するステップを含み、前記方法が、
前記基地局から受信された同期信号または基準信号の基準信号受信電力(RSRP)値、送信電力、あるいは前記基地局から受信されたコマンドに少なくとも基づいて、前記2段階RACH手順から前記4段階RACH手順に切り替えるステップ
をさらに備える、請求項1に記載の方法。
【請求項１０】
前記切り替えるステップの前に前記2段階RACH手順に基づく送信電力を使用するステップ、前記切り替えるステップの前にオフセットを前記2段階RACH手順に基づく前記送信電力に適用するステップ、または前記基地局から応答を受信する前に前記4段階RACH手順に基づく送信電力を使用するステップ
をさらに備える、請求項9に記載の方法。
【請求項１１】
ユーザ機器(UE)におけるランダムアクセスチャネル(RACH)手順のための装置であって、
前記UEにおいて、2段階RACH手順または4段階RACH手順を選択するための手段であって、
前記選択するための手段が、基地局から受信されたRACH構成情報に少なくとも基づいて前記2段階RACH手順または前記4段階RACH手順を選択するように構成され、
前記選択するための手段が、
前記UEにおいて、前記受信されたRACH構成情報に少なくとも基づいて、前記基地局から受信された同期信号または基準信号の基準信号受信電力(RSRP)値を決定するための手段と、
前記同期信号または前記基準信号の前記RSRP値がしきい値に等しいかまたはそれよりも大きいとの決定に応答して、前記2段階RACH手順を選択するか、あるいは、前記同期信号または前記基準信号の前記RSRP値がしきい値よりも小さいとの決定に応答して、前記4段階RACH手順を選択するための手段と
をさらに備える、手段と、
前記UEから、前記選択に基づく前記2段階RACH手順または前記4段階RACH手順に関連付けられた1つまたは複数のメッセージを送信するための手段と
を備える装置。
【請求項１２】
前記選択することが、前記2段階RACH手順を選択することを含み、前記送信することが、前記1つまたは複数のメッセージのうちの第1のメッセージを送信することを含み、前記第1のメッセージが、前記基地局によって基準信号(RS)として使用される物理RACH(PRACH)シーケンスまたはサウンディング基準信号(SRS)を含む、請求項11に記載の装置。
【請求項１３】
前記UEから、前記UEのハンドオーバ中にペイロードを前記基地局に送信するための手段であって、前記ペイロードが前記第1のメッセージの一部として送信される、手段
をさらに備える、請求項12に記載の装置。
【請求項１４】
前記ペイロードが、測定値報告、バッファステータス報告、チャネル状態フィードバック(CSF)情報、またはユーザデータである、請求項13に記載の装置。
【請求項１５】
ユーザ機器(UE)のプロセッサによって実行されると、前記UEに請求項1乃至10のいずれか1項に記載の方法を実行させるためのコンピュータ実行可能コードを記憶したコンピュータ可読記憶媒体。
【手続補正書】
【提出日】令和2年8月23日(2020.8.23)
【手続補正１】
【補正対象書類名】特許請求の範囲
【補正対象項目名】全文
【補正方法】変更
【補正の内容】
【特許請求の範囲】
【請求項１】
処理装置であって、
中央処理ユニットと、
前記中央処理ユニットに結合される第１のバスと、
前記中央処理ユニットに結合されるサイドバンド通信経路であって、前記第１のバスと分離されている、前記サイドバンド通信経路と、
複数のキーエントリを格納するためのメモリであって、各キーエントリが、それぞれのキー識別子と、それぞれのスレッド所有者と、それぞれの暗号キーとに関連付けられる、前記メモリと、
前記メモリに結合され、前記第１のバスと前記サイドバンド通信経路とを介して前記中央処理ユニットに結合されるプロセッサであって、複数の動作を実行するように適合されるロジック回路要素を含む、前記プロセッサと、
を含み、
前記複数の動作が、
キー識別子値を前記中央処理ユニットから前記第１のバスを介して受信することと、
スレッド識別子値を前記中央処理ユニットから前記サイドバンド通信経路を介して受信することと、
前記受信したキー識別子値に対応する前記メモリにおけるキーエントリを検索することと、
前記検索されたキーエントリに関連付けられる前記スレッド所有者に対応する前記スレッド識別子値に応答して、前記検索されたキーエントリに関連付けられる前記暗号キーを用いて暗号動作を実行することと、
を含む、処理装置。
【請求項２】
請求項１に記載の処理装置であって、
前記中央処理ユニットが、
プログラマブルロジックと、
前記プログラマブルロジックによって実行されている現在のスレッドを示す前記スレッド識別子値をストアするためのスレッドＩＤレジスタと、
を含む、処理装置。
【請求項３】
請求項１に記載の処理装置であって、
前記プロセッサが、前記中央処理ユニットによって実行されている現在のスレッドを示す前記スレッド識別子値を格納するためのスレッドＩＤレジスタを更に含み、
前記中央処理ユニットが、前記スレッド識別子値を第１のバスを介して前記プロセッサに通信する、処理装置。
【請求項４】
請求項１に記載の処理装置であって、
前記メモリが、前記第１のバスを介して前記プロセッサに結合され、
前記処理装置が、前記プロセッサを前記メモリに結合するチャネル上での前記メモリへのアクセスを制限するファイアウォール機能を更に含む、処理装置。
【請求項５】
請求項１に記載の処理装置であって、
前記プロセッサを前記メモリに結合する第２のバスを更に含む、処理装置。
【請求項６】
請求項１に記載の処理装置であって、
前記中央処理ユニットと前記メモリと前記プロセッサとが単一の集積回路にある、処理装置。
【請求項７】
請求項１に記載の処理装置であって、
前記中央処理ユニットが複数のプロセッサコアを含み、
前記スレッド識別子値が、現在のスレッドを実行する前記複数のプロセッサコアのうちの１つのプロセッサコアに対応する、処理装置。
【請求項８】
方法であって、
複数のキーエントリをメモリに格納することであって、各キーエントリが、それぞれのキー識別子とそれぞれのスレッド所有者とそれぞれの暗号キーとに関連付けられる、前記格納することと、
プロセッサによって、前記中央処理ユニットから第１のバスを介してキー識別子値を受信することと、
前記プロセッサによって、前記中央処理ユニットから前記第１のバスから分離されているサイドバンド通信経路を介してスレッド識別子値を受信することと、
前記受信されたキー識別子値に対応するキーエントリを前記メモリから検索することと、
前記検索されたキーエントリに関連付けられる前記スレッド所有者に対応する前記受信されたスレッド識別子値に応答して、前記検索されたキーエントリに関連付けられる前記暗号キーを用いて暗号動作を実行することと、
を含む、方法。
【請求項９】
請求項８に記載の方法であって、
前記スレッド識別子値が、前記中央処理ユニットにおけるオペレーティングシステム下の複数の実行スレッドの１つに対応する、方法。
【請求項１０】
請求項８に記載の方法であって、
前記スレッド識別子を前記プロセッサにおけるレジスタに格納することを更に含む、方法。
【請求項１１】
請求項８に記載の方法であって、
前記キー識別子値に対応するキーエントリを検索することが、前記プロセッサを前記メモリに結合する第２のバスを介して実施される、方法。
【請求項１２】
請求項１１に記載の方法であって、
前記検索されたキーエントリに関連付けられる前記スレッド所有者が前記受信したスレッド識別子値に対応しないことに応答して、エラーメッセージを前記プロセッサから前記中央処理ユニットに発行することを更に含む、方法。
【請求項１３】
請求項８に記載の方法であって、
前記中央処理ユニットが複数のプロセッサコアを含み、
前記スレッド識別子が、現在のスレッドを実行する前記複数のプロセッサコアの１つに対応する、方法。